【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
粒子を濃縮するための装置であって、
フローストリーム内にて第１の方向に移動する流体試料を受け取るように適合されているフローチャネル；
前記流体試料内の粒子を、第１の流速の集束流の中に集束させるように構成されている、場発生器；
１つ以上の追加のフローチャネル；
分岐部であって、前記分岐部が、前記フローチャネルおよび前記１つ以上の追加のフローチャネルと流体連通するように構成されており、前記分岐部および前記１つ以上の追加のフローチャネルが、前記流体試料を前記１つ以上の追加のフローチャネルの中へと導いて、前記集束流の中の前記粒子を第２の流速の第２の方向に方向転換させるように構成されており、かつ前記第１の流速が前記第２の流速よりも大きい、分岐部；ならびに
分析領域であって、前記分析領域が、前記１つ以上の追加のフローチャネル内に位置付けられて、前記第２の方向に方向転換された前記粒子の分析を可能にし、かつ前記分岐部および前記１つ以上の追加のフローチャネルが、前記分析領域内で前記粒子を濃縮するように構成されている、分析領域
を備える、装置。
【請求項２】
前記場発生器が、前記フローチャネル内に音響波を提供するように構成されている音響場発生器である、請求項１に記載の装置。
【請求項３】
前記音響場発生器が、前記粒子が圧力の節に集積するように前記フローチャネル内に圧力の節を発生させるように構成されている、請求項２に記載の装置。
【請求項４】
前記圧力の節が、前記粒子が前記フローチャネルの中央線に沿って集束するように発生する、請求項３に記載の装置。
【請求項５】
前記１つ以上の追加のフローチャネルが、前記フローチャネルとは異なる断面積を有する、請求項１に記載の装置。
【請求項６】
前記１つ以上の追加のフローチャネルが、第１の追加のフローチャネルおよび第２の追加のフローチャネルを含む、請求項１に記載の装置。
【請求項７】
前記分岐部、前記第１の追加のフローチャネル、および前記第２の追加のフローチャネルが、（ｉ）第１の複数の粒子を前記第１の追加のフローチャネルにおける前記第２の流速の前記第２の方向に方向転換させ、（ｉｉ）第２の複数の粒子を前記第２の追加のフローチャネルにおける第３の流速の第３の方向に方向転換させるように構成されている、請求項６に記載の装置。
【請求項８】
前記分岐部および前記１つ以上の追加のフローチャネルが、前記第２の方向に方向転換した前記粒子を前記分析領域内のチャネル壁上に集積させるように構成されている、請求項１に記載の装置。
【請求項９】
前記分析領域が、前記第１の追加のフローチャネル内に位置付けられ、前記第１の追加のフローチャネルが、前記第２の追加のフローチャネルよりも大きい断面積を有する、請求項６に記載の装置。
【請求項１０】
前記分析領域内の前記粒子を調べるように構成されている検出器をさらに備える、請求項１に記載の装置。
【請求項１１】
前記１つ以上の追加のフローチャネル内の粒子に影響を及ぼすように位置付けられかつ構成されている第２の場発生器をさらに備える、請求項１に記載の装置。
【請求項１２】
前記第２の場発生器が、音響場発生器である、請求項１１に記載の装置。
【請求項１３】
前記第２の場発生器が、第２の場を発生させるように構成されており、前記第２の場が、前記第２の方向に方向転換した前記粒子を前記分析領域内のチャネル壁上に集積させるように構成されている、請求項１１に記載の装置。
【請求項１４】
前記分析領域内で粒子を拘束するように構成されているトラップをさらに備える、請求項１に記載の装置。
【請求項１５】
１つ以上の選択フィルタをさらに備える、請求項１に記載の装置。
【請求項１６】
前記装置が初期段をさらに備え、前記初期段が、前記フローチャネルの上流に位置付けられ、前記初期段が、初期フローチャネルおよび初期場発生器を備え、前記初期フローチャネルが、前記流体試料を受け取るように適合されており、前記初期場発生器が、前記流体試料内の前記粒子を集束させるように構成されている、請求項１に記載の装置。
【請求項１７】
前記初期場発生器が、音響場発生器である、請求項１６に記載の装置。
【手続補正２】
【補正対象書類名】明細書
【補正対象項目名】００７９
【補正方法】変更
【補正の内容】
【００７９】
この出願に含まれる説明は、基本的な説明として役立つことを意図している。本発明は、図示されて説明された様々な実施形態にしたがって説明されたが、当業者であれば、実施形態に対する変更が可能であり、それらの変形例が本発明の精神および範囲内にあることを容易に認識するであろう。読者は、特定の議論が可能な全ての実施形態を明示的に記載していない可能性があり、多くの代替例が暗黙的であることを認識すべきである。そのような変更などは、十分に当業者の能力の範囲内であり且つ本発明の範囲および精神の範囲内にある単なる変更と考えられる。したがって、多くのそのような変更は、本発明の精神、範囲および本質から逸脱することなく、当業者によってなされ得る。説明、図面、または用語は、本発明が特許請求の範囲によって定義されるため、本発明の範囲を限定するものではない。以下に本発明の実施態様を記載する。
（実施態様１）粒子を濃縮するための装置であって、
フローストリーム内にて第１の方向に移動する流体試料を受け取るように適合されているフローチャネル；
前記流体試料内の粒子を、第１の流速の集束流の中に集束させるように構成されている、場発生器；
１つ以上の追加のフローチャネル；
分岐部であって、前記分岐部が、前記フローチャネルおよび前記１つ以上の追加のフローチャネルと流体連通するように構成されており、前記分岐部および前記１つ以上の追加のフローチャネルが、前記流体試料を前記１つ以上の追加のフローチャネルの中へと導いて、前記集束流の中の前記粒子を第２の流速の第２の方向に方向転換させるように構成されており、かつ前記第１の流速が前記第２の流速よりも大きい、分岐部；ならびに
分析領域であって、前記分析領域が、前記１つ以上の追加のフローチャネル内に位置付けられて、前記第２の方向に方向転換された前記粒子の分析を可能にし、かつ前記分岐部および前記１つ以上の追加のフローチャネルが、前記分析領域内で前記粒子を濃縮するように構成されている、分析領域を備える、装置。
（実施態様２）前記フローチャネルと流体連通するように構成されている流体源をさらに備える、実施態様１に記載の装置。
（実施態様３）前記流体源が、１つ以上のポンプを備える、実施態様２に記載の装置。
（実施態様４）前記流体源を制御するように構成されているコントローラをさらに備える、実施態様２に記載の装置。
（実施態様５）前記場発生器が、前記フローチャネル内に音響波を提供するように構成されている音響場発生器である、実施態様１に記載の装置。
（実施態様６）前記音響場発生器が、前記粒子が圧力の節に集積するように前記フローチャネル内に圧力の節を発生させるように構成されている、実施態様５に記載の装置。
（実施態様７）前記圧力の節が、前記粒子が前記フローチャネルの中央線に沿って集束するように発生する、実施態様６に記載の装置。
（実施態様８）前記音響場発生器が、前記フローチャネル内に複数の圧力の節を発生させるように構成されている、実施態様６に記載の装置。
（実施態様９）前記音響場発生器が、第１の複数の粒子が前記圧力の節に追いやられかつ第２の複数の粒子が波腹に追いやられるように波腹を発生させるように構成されている、実施態様６に記載の装置。
（実施態様１０）前記第１の複数の粒子の粒子が、前記第２の複数の粒子の粒子よりも高い密度を有する、実施態様９に記載の装置。
（実施態様１１）前記第１の複数の粒子の粒子が、前記第２の複数の粒子の粒子よりも大きいサイズを有する、実施態様９に記載の装置。
（実施態様１２）前記第１の複数の粒子の粒子が、前記第２の複数の粒子の粒子よりも低い圧縮率を有する、実施態様９に記載の装置。
（実施態様１３）前記音響場発生器が、複数の波腹を発生させるように構成されている、実施態様９に記載の装置。
（実施態様１４）前記１つ以上の追加のフローチャネルが、前記フローチャネルとは異なる断面積を有する、実施態様１に記載の装置。
（実施態様１５）前記１つ以上の追加のフローチャネルが、第１の追加のフローチャネルおよび第２の追加のフローチャネルを含む、実施態様１に記載の装置。
（実施態様１６）前記分岐部、前記第１の追加のフローチャネル、および前記第２の追加のフローチャネルが、（ｉ）第１の複数の粒子を前記第１の追加のフローチャネルにおける前記第２の流速の前記第２の方向に方向転換させ、（ｉｉ）第２の複数の粒子を前記第２の追加のフローチャネルにおける第３の流速の第３の方向に方向転換させるように構成されている、実施態様１５に記載の装置。
（実施態様１７）前記フローチャネル、前記第１の追加のフローチャネル、および前記第２の追加のフローチャネルが、異なる断面積を有する、実施態様１５に記載の装置。
（実施態様１８）前記第１の追加のフローチャネルおよび前記第２の追加のフローチャネルが、同一の断面積を有する、実施態様１５に記載の装置。
（実施態様１９）前記分岐部および前記１つ以上の追加のフローチャネルが、前記第２の方向に方向転換した前記粒子を前記分析領域内のチャネル壁上に集積させるように構成されている、実施態様１に記載の装置。
（実施態様２０）前記分析領域が、前記第１の追加のフローチャネル内に位置付けられ、前記第１の追加のフローチャネルが、前記第２の追加のフローチャネルよりも大きい断面積を有する、実施態様１５に記載の装置。
（実施態様２１）前記分析領域内の前記粒子を調べるように構成されている検出器をさらに備える、実施態様１に記載の装置。
（実施態様２２）前記１つ以上の追加のフローチャネル内の粒子に影響を及ぼすように位置付けられかつ構成されている第２の場発生器をさらに備える、実施態様１に記載の装置。
（実施態様２３）前記第２の場発生器が、音響場発生器である、実施態様２２に記載の装置。
（実施態様２４）前記第２の場発生器が、第２の場を発生させるように構成されており、前記第２の場が、前記第２の方向に方向転換した前記粒子を前記分析領域内のチャネル壁上に集積させるように構成されている、実施態様２２に記載の装置。
（実施態様２５）前記分析領域内で粒子を拘束するように構成されているトラップをさらに備える、実施態様１に記載の装置。
（実施態様２６）前記トラップが重力トラップである、実施態様２５に記載の装置。
（実施態様２７）前記トラップが磁気トラップである、実施態様２５に記載の装置。
（実施態様２８）前記磁気トラップが、磁石および磁気感受性材料を含む、実施態様２７に記載の装置。
（実施態様２９）前記磁石および前記磁気感受性材料が、前記粒子と結合している磁性粒子または磁性材料に影響を及ぼすことができる磁場を発生させるように構成されている、実施態様２８に記載の装置。
（実施態様３０）１つ以上の選択フィルタをさらに備える、実施態様１に記載の装置。
（実施態様３１）前記１つ以上の選択フィルタが、前記１つ以上の追加のフローチャネル内に位置付けられている、実施態様３０に記載の装置。
（実施態様３２）前記１つ以上の選択フィルタが、第１の複数の粒子を捕捉するように構成されている、実施態様３１に記載の装置。
（実施態様３３）前記１つ以上の選択フィルタが、前記粒子のサイズおよび前記１つ以上の選択フィルタの孔サイズに基づいて前記第１の複数の粒子を捕捉するように構成されている、実施態様３２に記載の装置。
（実施態様３４）前記１つ以上の選択フィルタが、前記粒子の剛性および変形能に基づいて前記第１の複数の粒子を捕捉するように構成されている、実施態様３２に記載の装置。
（実施態様３５）前記１つ以上の選択フィルタが、前記粒子と結合している磁性材料に基づいて前記第１の複数の粒子を捕捉するように構成されている、実施態様３２に記載の装置。
（実施態様３６）前記粒子が細胞であり、前記１つ以上の選択フィルタが、前記細胞の表面タンパク質または表面構造に基づいて前記第１の複数の粒子を捕捉するように構成されている、実施態様３２に記載の装置。
（実施態様３７）前記装置が初期段をさらに備え、前記初期段が、前記フローチャネルの上流に位置付けられ、前記初期段が、初期フローチャネルおよび初期場発生器を備え、前記初期フローチャネルが、前記流体試料を受け取るように適合されており、前記初期場発生器が、前記流体試料内の前記粒子を集束させるように構成されている、実施態様１に記載の装置。
（実施態様３８）前記初期フローチャネルと流体連通するように構成されている流体源をさらに備える、実施態様３７に記載の装置。
（実施態様３９）前記流体源が、１つ以上のポンプを備える、実施態様３８に記載の装置。
（実施態様４０）前記初期場発生器が、音響場発生器である、実施態様３７に記載の装置。
（実施態様４１）前記初期場発生器が、第１の複数の粒子を前記初期フローチャネルの中央線に沿って集束させるが第２の複数の粒子を前記初期フローチャネルの中央線に沿って集束させないように構成されている、実施態様３７に記載の装置。
（実施態様４２）前記初期段が、前記第１の複数の粒子を前記初期フローチャネルから前記フローチャネルへと流すように構成されている、実施態様４１に記載の装置。
（実施態様４３）前記初期段が、前記第２の複数の粒子を前記初期フローチャネルから１つ以上の廃棄物出口へと流すように構成されている、実施態様４１に記載の装置。
（実施態様４４）粒子を濃縮するための方法であって、
フローチャネル内の流体試料をフローストリーム内にて第１の方向に流すことであって、前記流体試料が粒子を含む、前記流すこと；
前記流体試料中の前記粒子を第１の流速の集束流の中に集束させるように場を印加すること；
前記集束流の中の前記粒子を第２の流速の第２の方向に方向転換させることであって、前記第１の流速が前記第２の流速よりも大きい、前記方向転換させること；および
分析領域において前記第２の方向に方向転換された粒子を濃縮することを含む、方法。
（実施態様４５）前記粒子を方向転換させることが、前記粒子を分岐部を介して１つ以上の追加のフローチャネルへと流すことを含む、実施態様４４に記載の方法。
（実施態様４６）前記場が、音響場でありかつ前記フローチャネル内に音響波を提供する、実施態様４４に記載の方法。
（実施態様４７）前記音響場が前記フローチャネル内に圧力の節を発生させ、前記粒子が前記圧力の節に集積する、実施態様４６に記載の方法。
（実施態様４８）前記粒子が、前記フローチャネルの中央線に沿って集束する、実施態様４７に記載の方法。
（実施態様４９）前記音響場が、前記フローチャネル内に複数の圧力の節を発生させる、実施態様４６に記載の方法。
（実施態様５０）前記音響場が波腹を発生させ、第１の複数の粒子が前記圧力の節に追いやられ、第２の複数の粒子が前記波腹に追いやられる、実施態様４６に記載の方法。
（実施態様５１）前記第１の複数の粒子の粒子が、前記第２の複数の粒子の粒子よりも高い密度を有する、実施態様５０に記載の方法。
（実施態様５２）前記第１の複数の粒子の粒子が、前記第２の複数の粒子の粒子よりも大きいサイズを有する、実施態様５０に記載の方法。
（実施態様５３）前記第１の複数の粒子の粒子が、前記第２の複数の粒子の粒子よりも低い圧縮率を有する、実施態様５０に記載の方法。
（実施態様５４）前記音響場発生器が、複数の波腹を発生させるように構成されている、実施態様４６に記載の方法。
（実施態様５５）前記１つ以上の追加のフローチャネルが、前記フローチャネルとは異なる断面積を有する、実施態様４５に記載の方法。
（実施態様５６）前記１つ以上の追加のフローチャネルが、第１の追加のフローチャネルおよび第２の追加のフローチャネルを含む、実施態様４５に記載の方法。
（実施態様５７）第１の複数の粒子が、第１の追加のフローチャネルにおける第２の流速の第２の方向に方向転換され、第２の複数の粒子が、第２の追加のフローチャネルにおける第３の流速の第３の方向に方向転換される、実施態様４５に記載の方法。
（実施態様５８）前記フローチャネル、前記第１の追加のフローチャネル、および前記第２の追加のフローチャネルが、異なる断面積を有する、実施態様５６に記載の方法。
（実施態様５９）前記第１の追加のフローチャネルおよび前記第２の追加のフローチャネルが、同一の断面積を有する、実施態様５６に記載の方法。
（実施態様６０）前記分析領域が、前記第１の追加のフローチャネル内に位置付けられ、前記第１の追加のフローチャネルが、前記第２の追加のフローチャネルよりも大きい断面積を有する、実施態様５６に記載の方法。
（実施態様６１）検出器によって前記分析領域内の前記粒子を調べることをさらに含む、実施態様４４に記載の方法。
（実施態様６２）前記粒子が方向転換された後に前記粒子に第２の場を印加することをさらに含む、実施態様４４に記載の方法。
（実施態様６３）前記第２の場が音響場である、実施態様６２に記載の方法。
（実施態様６４）前記第２の場が、前記粒子を前記分析領域内に集積させる、実施態様６２に記載の方法。
（実施態様６５）トラップを用いて前記分析領域内で粒子を拘束することをさらに含む、実施態様４４に記載の方法。
（実施態様６６）前記トラップが重力トラップである、実施態様６５に記載の方法。
（実施態様６７）前記トラップが磁気トラップであり、前記粒子が磁性粒子または磁性材料と結合しており、前記磁気トラップが、前記磁性粒子または前記磁性材料に影響を及ぼす磁場を発生させる、実施態様６５に記載の方法。
（実施態様６８）前記１つ以上の追加のフローチャネル内の第１の複数の粒子を濾過することをさらに含む、実施態様４５に記載の方法。
（実施態様６９）前記濾過することが、１つ以上の選択フィルタを用いて実行される、実施態様６８に記載の方法。
（実施態様７０）前記１つ以上の選択フィルタが、前記粒子のサイズおよび前記１つ以上の選択フィルタの孔サイズに基づいて前記第１の複数の粒子を捕捉する、実施態様６９に記載の方法。
（実施態様７１）前記１つ以上の選択フィルタが、前記粒子の剛性および変形能に基づいて前記第１の複数の粒子を捕捉する、実施態様６９に記載の方法。
（実施態様７２）前記１つ以上の選択フィルタが、前記粒子と結合している磁性材料に基づいて前記第１の複数の粒子を捕捉する、実施態様６９に記載の方法。
（実施態様７３）前記粒子が細胞であり、前記１つ以上の選択フィルタが、前記細胞の表面タンパク質または表面構造に基づいて前記第１の複数の粒子を捕捉する、実施態様６９に記載の方法。
（実施態様７４）前記流体試料が前記フローチャネルに流入する前に、前記フローチャネルの上流にある初期フローチャネル内で前記粒子を濃縮することをさらに含む、実施態様４４に記載の方法。
（実施態様７５）前記初期フローチャネル内で前記粒子に初期場が印加される、実施態様７５に記載の方法。
（実施態様７６）前記初期場が音響場である、実施態様７５に記載の方法。
（実施態様７７）前記初期場が、第１の複数の粒子を前記初期フローチャネルの中央線に沿って集束させるが、第２の複数の粒子は前記初期フローチャネルの中央線に沿って集束しない、実施態様７５に記載の方法。
（実施態様７８）前記初期フローチャネルからの前記第１の複数の粒子が、前記フローチャネルに流入する、実施態様７７に記載の方法。
（実施態様７９）前記初期フローチャネルからの前記第２の複数の粒子が、１つ以上の廃棄物出口に流入する、実施態様７７に記載の方法。